(57)【要約】  【課題】  Ｃｏｐｙ  ＯｎｃｅコンテンツをＭＯＶＥ処理する際に、受信記録側機器が正常記録できない際の送信再生側機器のコンテンツの紛失を防げるコンテンツ記録方法を提供する。  【解決手段】  送信側記録メディア１３に記録したコンテンツを再生出力する送信再生側機器１０と、再生出力されたコンテンツを受信し受信側記録メディア３３に記録する受信記録側機器３０であって、送信再生側機器１０は、送信した再生コンテンツにより受信記録側機器３０の記録状態情報により送信再生側機器１０に記録しているコンテンツを消去するコンテンツ記録方法。  【選択図】  図３
2005293731.tif 000002
【特許請求の範囲】
【請求項１】
受信したコンテンツを送信側記録メディアに記録し、そのコンテンツを再生した再生コンテンツを送信する送信側記録再生機器と、この送信側記録再生機器から送信された再生コンテンツを受信し、前記再生コンテンツを受信側記録メディアに記録する受信側記録再生機器からなるコンテンツ記録方法であって、
前記受信側記録再生機器は、前記送信側記録再生機器から送信された再生コンテンツの前記受信側記録メディアへの記録状態情報を生成して前記送信側記録再生機器に返信させ、前記送信側記録再生機器は、前記受信側記録再生機器から返信された再生コンテンツの記録状態情報を基に、前記送信側記録メディアに記録されている送信済みのコンテンツを消去させることを特徴としたコンテンツ記録方法。
【請求項２】
前記送信側記録再生機器は、受信したコンテンツを記録メディアに記録する際に、識別情報信号として所定のフレーム識別情報を付与して記録し、その識別情報信号を含む再生コンテンツを前記受信側再生記録機器に出力することを特徴とした請求項１記載のコンテンツ記録方法。
【請求項３】
前記受信側記録再生機器において生成返信される再生コンテンツの記録メディアへの記録状態情報は、前記送信側記録再生機器から送信された再生コンテンツの映像信号、再生コンテンツに付与されている識別情報信号、または、受信側記録再生機器の再生コンテンツの記録動作信号のいずれかを有することを特徴とした請求項１に記載のコンテンツ記録方法。
【請求項４】
前記送信側記録再生機器は、前記受信側記録再生機器から返信された再生コンテンツの記録状態情報が再生コンテンツの映像信号の場合、前記受信側記録再生機器から返信された再生コンテンツの映像信号と、送信済み再生コンテンツの映像信号の一致確認を行い、その一致確認された時点までの記録メディアに記録されている送信済みのコンテンツを消去させることを特徴とした請求項３記載のコンテンツ記録方法。
【請求項５】
前記送信側記録再生機器は、前記受信側記録再生機器から返信された再生コンテンツの記録状態情報が再生コンテンツの映像信号の場合、前記受信側記録再生機器から返信された再生コンテンツの映像信号に含まれる識別情報信号を抽出し、その抽出した識別情報信号と、送信済み再生コンテンツの識別情報信号の一致確認を行い、その一致確認された時点までの記録メディアに記録されている送信済みのコンテンツを消去させることを特徴とした請求項３記載のコンテンツ記録方法。
【請求項６】
前記送信側記録再生機器は、前記受信側記録再生機器から返信された再生コンテンツの記録状態情報が再生コンテンツの識別情報信号の場合、前記受信側記録再生機器から返信された再生コンテンツの識別情報信号と、送信済み再生コンテンツの映像信号の識別情報信号の一致確認を行い、その一致確認された時点までの記録メディアに記録されている送信済みのコンテンツを消去させることを特徴とした請求項３記載のコンテンツ記録方法。
【請求項７】
前記送信側記録再生機器は、前記受信側記録再生機器から返信された再生コンテンツの記録状態情報が受信側記録再生機器の再生コンテンツの記録動作信号の場合、前記受信側再生記録機器から返信された再生コンテンツの記録動作信号により受信側再生記録機器において再生コンテンツが正しく記録されていることを示す時点までの記録メディアに記録されている送信済み再生コンテンツを消去させることを特徴とした請求項３記載のコンテンツ記録方法。
【請求項８】
前記送信側記録再生機器は、記録メディアに記録されているコンテンツを再生送信する際に、コンテンツに付与されている識別情報信号を一時記憶し、前記受信側記録再生機器からの記録状態情報に含まれている識別情報信号と比較することを特徴とした請求項１、２、４，５，６のいずれか一に記載のコンテンツ記録方法。
【請求項９】
受信したコンテンツを送信側記録メディアに記録し、そのコンテンツを再生した再生コンテンツを送信する送信側記録再生機器と、この送信側記録再生機器から送信された再生コンテンツを受信し、前記再生コンテンツを受信側記録メディアに記録する受信側記録再生機器からなるコンテンツ記録システムであって、
受信したコンテンツに識別情報を付与して送信側記録メディアに記録する映像記録手段と、この送信側記録メディアに記録されている識別情報を付与されたコンテンツを読み出して前記受信側記録再生機器に再生コンテンツとして送信する映像読出手段と、この映像読出手段により読み出して前記受信側記録再生機器に送信した再生コンテンツに付与されている識別情報を抽出して一時記録させる識別情報読出手段と、前記受信側記録再生機器からの受信側記録メディアへの再生コンテンツの記録状態情報を受信して、その記録状態情報と前記識別情報読出手段に一時記録されている識別情報とを一致確認し、一致確認された時点までの送信側記録メディアに記録されているコンテンツを消去させる映像消去手段とを有する送信側記録再生機器と、
前記送信側記録再生機器から送信された識別情報を含む再生コンテンツを受信側記録メディアに記録される映像記録手段と、この映像記録手段により受信側記録メディアに記録されている再生コンテンツを読み出し、その読み出した再生コンテンツの記録状態情報を生成する映像読出手段と、この映像読出手段により生成された再生コンテンツの記録状態情報を前記送信側記録再生機器へ送信する映像送信手段とを有する受信側記録再生機器と、
を具備することを特徴としたコンテンツ記録システム。
【請求項１０】
受信したコンテンツに識別情報を付与して送信側記録メディアに記録する映像記録部と、
前記送信側記録メディアに記録されたコンテンツを読み出し再生し、その読み出し再生した再生コンテンツを受信側記録再生機器へと送信させる映像読出部と、
前記受信側記録再生機器から返信された再生コンテンツの受信側記録メディアへの記録状態情報を基に、受信側記録再生機器において再生コンテンツが正常に記録されているか確認する記録状態確認部と、
この記録状態確認部において、前記映像読出部から送信した再生コンテンツが前記受信側記録再生機器において正常に記録されていることが確認された時点までの前記送信側記録メディアから読み出し再生したコンテンツを消去させる映像消去部と、
を具備することを特徴とした記録再生装置。
【請求項１１】
前記映像記録部において、コンテンツに付与される識別情報は、コンテンツの所定のフレーム単位に設けられるフレーム識別情報であることを特徴とした請求項１０記載の記録再生装置。
【請求項１２】
前記記録状態確認部は、前記受信側記録再生機器から返信された記録状態情報に含まれる再生コンテンツに付与されている識別情報、あるいは、受信側記録再生機器の記録動作信号のいずれかを用いて、前記受信側記録再生機器における再生コンテンツの記録動作状態を確認することを特徴とした請求項１０記載の記録再生装置。
【発明の詳細な説明】
【技術分野】
【０００１】
本発明は、放送局側から配信されたコンテンツを記録し、その記録されたコンテンツをＭＯＶＥ処理する際のＭＯＶＥ動作確認とコンテンツ消去に関する。
【背景技術】
【０００２】
近年、放送局から配信される映像と音声による番組、データによる番組、及びデータ放送のデータ等のコンテンツの著作権保護のために、著作権保護機能がコンテンツに加えられている。この著作権保護機能により保護されたコンテンツをＭＯＶＥ処理する場合は、その著作権保護機能に定められているルールに従い、録画記録されたコンテンツを他の録画機器へ伝送して所定時間経過後に消去させることで他の録画機器へ伝送記録が許される。  このＭＯＶＥ処理とは、Ｃｏｐｙ  Ｏｎｃｅコンテンツ（１回だけ録画記録を許されたコンテンツ）に対するコンテンツ移動処理である。このＣｏｐｙ  Ｏｎｃｅコンテンツは、録画記録が１回しか許されてなく、他の記録媒体へのコピーは許可されてないが、このＣｏｐｙ  Ｏｎｃｅコンテンツを、例えば、ある録画機器の記録媒体に録画記録した後、その録画記録したコンテンツを削除することを条件に、他の録画機器の記録媒体へ記録させることは許されている。
【０００３】
例えば、放送局側から配信されたＣｏｐｙ  Ｏｎｃｅコンテンツを記録するハードディスク（ＨＤＤ）を記録媒体に有する記録再生機器（以下、送信側記録再生機器と称する）にて記録したＣｏｐｙ  Ｏｎｃｅコンテンツを、例えば、ＤＶＤ−ＲＡＭを記録媒体とする記録再生機器（以下、受信側記録再生機器と称する）へ送信記録させ、その受信側記録再生機器に伝送された送信側記録再生機器に記録されていたＣｏｐｙ  Ｏｎｃｅコンテンツを消去させるＭＯＶＥ処理において、送信側記録再生機器から送信されたＣｏｐｙ  Ｏｎｃｅコンテンツを記録する受信側記録再生機器の電源がオフされた場合でも、送信側記録再生機器は継続して送信動作が行われ、その送信側記録再生機器に記録されていたＣｏｐｙ  Ｏｎｃｅコンテンツが所定時間経過後に消去される。しかし、そのＣｏｐｙ  Ｏｎｃｅコンテンツを受信記録する受信側記録再生機器は、電源がオフされているために、送信側記録再生機器から送信されたＣｏｐｙ  Ｏｎｃｅコンテンツは記録できない。
【０００４】
このように、送信側記録再生機器、あるいは、受信側記録再生機器のいずれかの電源がオフ操作された場合に、例えば、特許文献１に提案されているように、その電源オフ操作を検出して受信側記録再生機器からの再生ストリームの最後にＥＯＢ（Ｅｎｄ  ｏｆ  ｂｉｔ）を付加させて受信側記録再生機器へ出力させ、そのＥＯＢが付加されたデータまで受信側記録再生機器が記録したことを確認後に電源オフ動作を行わせている。
【特許文献１】特開２００２−３００５１７号公報。
【発明の開示】
【発明が解決しようとする課題】
【０００５】
上記特許文献１は、Ｃｏｐｙ  ＯｎｃｅコンテンツのＭＯＶＥ処理において、送信側記録再生機器、あるいは受信側記録再生機器のいずれかの電源がオフ操作された際に、その電源オフ操作を検知して、送信側記録再生機器からの伝送コンテンツにＥＯＢを付加させることで、そのＥＯＢが付加されたストリームの最後までのコンテンツを受信側記録再生機器に記録させ、送信側記録再生機器はそのＥＯＢが付加された以降のストリームの未伝送コンテンツを継続して記録保持させることで、ＭＯＶＥ処理時の電源オフによる誤った送信側記録再生機器のコンテンツ消去から保護されている。
【０００６】
この特許文献１に提案されている記録再生機器は、電源オフ時のコンテンツの不要な消去から保護されるが、例えば、受信側記録再生機器が電源オフ操作以外の要因により、送信側記録再生機器から伝送されたコンテンツを正常に記録できない場合でも送信側記録再生機器は、送信したコンテンツの所定の時間が経過されると消去されてしまう。
【０００７】
このために、送信側記録再生機器をＭＯＶＥ処理の動作状態とすると、受信側記録再生機器のコンテンツの受信記録状態に関わりなく送信済みコンテンツの消去動作が実行され、送信側記録再生機器及び受信側記録再生機器のいずれにもコンテンツが記録されない状態となる。
【０００８】
本発明は、このような事情に鑑みてなされたもので、受信側記録再生機器のコンテンツの受信記録状態に応じて、送信側記録再生機器の記録コンテンツの消去動作と伝送動作を制御するコンテンツ記録システムを提供することを目的とする。
【課題を解決するための手段】
【０００９】
本発明のコンテンツ記録方法は、受信したコンテンツを送信側記録メディアに記録し、そのコンテンツを再生した再生コンテンツを送信する送信側記録再生機器と、この送信側記録再生機器から送信された再生コンテンツを受信し、前記再生コンテンツを受信側記録メディアに記録する受信側記録再生機器からなるコンテンツ記録方法であって、前記受信側記録再生機器は、前記送信側記録再生機器から送信された再生コンテンツの前記受信側記録メディアへの記録状態情報を生成して前記送信側記録再生機器に返信させ、前記送信側記録再生機器は、前記受信側記録再生機器から返信された再生コンテンツの記録状態情報を基に、前記送信側記録メディアに記録されている送信済みのコンテンツを消去させることを特徴としている。
【００１０】
本発明のコンテンツ記録方法の送信側記録再生機器は、受信したコンテンツを送信側記録メディアに記録する際に、識別情報信号として所定のフレーム識別情報を付与して記録し、その識別情報信号を含む再生コンテンツを前記受信側再生記録機器に出力することを特徴としている。
【００１１】
本発明のコンテンツ記録方法の受信側記録再生機器において生成返信される再生コンテンツの受信側記録メディアへの記録状態情報は、前記送信側記録再生機器から送信された再生コンテンツの映像信号、再生コンテンツに付与されている識別情報信号、または、受信側記録再生機器の再生コンテンツの記録動作信号等のいずれかを有しており、前記受信側記録再生機器から返信された再生コンテンツの記録状態情報が再生コンテンツの映像信号の場合、前記受信側記録再生機器から返信された再生コンテンツの映像信号と、送信済み再生コンテンツの映像信号の一致確認を行い、前記受信側記録再生機器から返信された再生コンテンツの記録状態情報が再生コンテンツの映像信号の場合、前記受信側記録再生機器から返信された再生コンテンツの映像信号に含まれる識別情報信号を抽出し、その抽出した識別情報信号と、送信済み再生コンテンツの識別情報信号の一致確認を行い、あるいは、前記受信側記録再生機器から返信された再生コンテンツの記録状態情報が再生コンテンツの識別情報信号の場合、前記受信側記録再生機器から返信された再生コンテンツの識別情報信号と、送信済み再生コンテンツの映像信号の識別情報信号の一致確認を行い、その一致確認された時点までの送信側記録再生機器の送信側記録メディアに記録されている送信済みのコンテンツを消去させる。または、前記受信側記録再生機器から返信された再生コンテンツの記録状態情報が受信側記録再生機器の再生コンテンツの記録動作信号の場合、前記受信側再生記録機器から返信された再生コンテンツの記録動作信号により受信側再生記録機器において再生コンテンツが正しく記録されていることを示す時点までの送信側記録メディアに記録されている送信済み再生コンテンツを消去させることを特徴としている。
【００１２】
本発明のコンテンツ記録方法の送信側記録再生機器は、送信側記録メディアに記録されているコンテンツを再生送信する際に、コンテンツに付与されている識別情報を一時記憶し、前記受信側記録再生機器からの記録状態情報に含まれている識別情報信号と比較することを特徴としている。
【００１３】
本発明のコンテンツ記録システムは、受信したコンテンツを送信側記録メディアに記録し、そのコンテンツを再生した再生コンテンツを送信する送信側記録再生機器と、この送信側記録再生機器から送信された再生コンテンツを受信し、その再生コンテンツを受信側記録メディアに記録する受信側記録再生機器からなるコンテンツ記録システムであって、受信したコンテンツに識別情報を付与して送信側記録メディアに記録する映像記録手段と、この送信側記録メディアに記録されている識別情報を付与されたコンテンツを読み出して前記受信側記録再生機器に再生コンテンツとして送信する映像読出手段と、この映像読出手段により読み出して前記受信側記録再生機器に送信した再生コンテンツに付与されている識別情報を抽出して一時記録させる識別情報読出手段と、前記受信側記録再生機器からの受信側記録メディアへの再生コンテンツの記録状態情報を受信して、その記録状態情報と前記識別情報読出手段に一時記録されている識別情報とを一致確認し、一致確認された時点までの送信側記録メディアに記録されているコンテンツを消去させる映像消去手段とを有する送信側記録再生機器と、前記送信側記録再生機器から送信された識別情報を含む再生コンテンツを受信側記録メディアに記録される映像記録手段と、この映像記録手段により受信側記録メディアに記録されている再生コンテンツを読み出し、その読み出した再生コンテンツの記録状態情報を生成する映像読出手段と、この映像読出手段により生成された再生コンテンツの記録状態情報を前記送信側記録再生機器へ送信する映像送信手段とを有する受信側記録再生機器と、を具備することを特徴としている。
【００１４】
本発明の記録再生装置は、受信したコンテンツに識別情報を付与して送信側記録メディアに記録する映像記録部と、前記記録メディアに記録されたコンテンツを読み出し再生し、その読み出し再生した再生コンテンツを受信側記録再生機器へと送信させる映像読出部と、前記受信側記録再生機器から返信された再生コンテンツの受信側記録メディアへの記録状態情報を基に、受信側記録再生機器において再生コンテンツが正常に記録されているか確認する記録状態確認部と、この記録状態確認部において、前記映像読出部から送信した再生コンテンツが前記受信側記録再生機器において正常に記録されていることが確認された時点までの前記送信側記録メディアから読み出し再生したコンテンツを消去させる映像消去部と、を具備することを特徴としている。
【００１５】
本発明の記録再生装置の映像記録部において、コンテンツに付与される識別情報は、コンテンツの所定のフレーム単位に設けられるフレーム識別情報であることを特徴としている。
【００１６】
本発明の記録再生装置の記録状態確認部は、前記受信側記録再生機器から返信された記録状態情報に含まれる再生コンテンツに付与されている識別情報、あるいは、受信側記録再生機器の記録動作状態信号のいずれかを用いて、前記受信側記録再生機器における再生コンテンツの記録状態を確認することを特徴としている。
【発明の効果】
【００１７】
本発明のコンテンツ記録方法、コンテンツ記録システム、及び記録再生装置は、著作権保護機能の基で、受信側記録再生機器のコンテンツの記録状態に応じて、送信側記録再生機器の再生伝送動作の制御が行え、送信側記録再生機器に記録されているコンテンツの不要な消去から保護できると共に、著作権保護機能を基にＭＯＶＥ処理が確実に実行できる。
【発明を実施するための最良の形態】
【００１８】
以下、図面を参照して本発明の実施の形態について詳細に説明する。最初に、Ｃｏｐｙ  ＯｎｃｅコンテンツのＭＯＶＥ処理の概要について、図１２乃至図１３を用いて説明する。コンテンツに付与されている著作権保護情報は、図１４に示すように、フラグ「００」が付されたコンテンツは、Ｃｏｐｙ  Ｆｒｅｅコンテンツであって、コピーを自由に行うことができる。フラグ「１０」が付されたコンテンツは、Ｃｏｐｙ  Ｏｎｃｅコンテンツであって、コピーが１度だけ許可されている。このＣｏｐｙ  Ｏｎｃｅコンテンツは、記録媒体にコピーした場合、その著作権保護情報はフラグ「０１」Ｎｏ  Ｍｏｒｅ  Ｃｏｐｉｅｓに書き換えられ、その以降のコピーが禁止される。フラグ「１１」が付されたコンテンツは、Ｃｏｐｙ  Ｎｅｖｅｒコンテンツであって、コピーが禁止されている。
【００１９】
これら著作権保護情報を有するコンテンツのフラグ「００」のＣｏｐｙ  Ｆｒｅｅコンテンツは、記録再生機器により記録メディアに記録が自由に行える。フラグ「１１」のＣｏｐｙ  Ｎｅｖｅｒコンテンツは、いかなる記録再生機器にあっても記録メディアへの記録が禁止されている。また、フラグ「１０」のＣｏｐｙ  Ｏｎｃｅコンテンツは、図１３に示すように、受信したＣｏｐｙ  Ｏｎｃｅコンテンツをフラグ「０１」のＮｏ  Ｍｏｒｅ  Ｃｏｐｉｅｓに書き換えて記録再生機器により１回コピーできる。このフラグ「０１」Ｃｏｐｙ  Ｏｎｃｅコンテンツを記録した記録再生機器から他の記録再生機器に送信して他の記録メディアにコピーする場合は、フラグ「０１」Ｎｏ  Ｍｏｒｅ  Ｃｏｐｉｅｓコンテンツからフラグ「１０」Ｃｏｐｙ  Ｏｎｃｅコンテンツに戻して送信すると共に、その送信から１分以内に基の記録機器に記録されているコンテンツを消去させるＭＯＶＥ処理が可能となっている。
【００２０】
このような著作権保護情報が付されたコンテンツの内、前記Ｃｏｐｙ  Ｏｎｃｅコンテンツを記録した記録メディアから、他の記録メディアに送信記録させるＭＯＶＥ処理を行う本発明のコンテンツ記録システムは、図１２に示すように、Ｃｏｐｙ  Ｏｎｃｅコンテンツを受信して記録媒体に記録すると共に、その記録媒体に記録されたＣｏｐｙ  Ｏｎｃｅコンテンツを再生して他の記録再生機器に送信する送信側記録再生機器（図中送信再生側機器と表示し、以下送信再生側機器と称する）１０と、この送信再生側機器１０から再生伝送されたＣｏｐｙ  Ｏｎｃｅコンテンツを受信して記録媒体に記録する受信側記録再生機器（図中受信記録側機器と表示し、以下受信記録側機器と称する）３０とからなり、送信再生側機器１０から送信したＣｏｐｙ  Ｏｎｃｅコンテンツに対して、受信記録側機器３０から返信された記録状態情報を基に、送信再生側機器１０は、送信済みのＣｏｐｙ  Ｏｎｃｅコンテンツを消去するものである。
【００２１】
このコンテンツ記録システムの送信再生側機器１０の構成について、図１を用いて説明する。この送信再生側機器１０は、映像記録部１１、フレーム識別情報付与部１２、送信側記録メディア１３、映像読出部１４、映像送信部１５、フレーム識別情報読出部１６、記録状態受信部１７、フレーム識別情報受信部１８、記録状態確認部１９、及び映像消去部２０からなっている。
【００２２】
映像記録部１１は、放送局側から配信された著作権保護情報のフラグ「１０」のＣｏｐｙ  Ｏｎｃｅコンテンツを受信し、そのコンテンツに所定の信号処理を施して、フラグ「０１」Ｎｏ  Ｍｏｒｅ  Ｃｏｐｉｅｓコンテンツに変換して送信側記録メディア１３に記録させる。
【００２３】
フレーム識別情報付与部１２は、映像記録部１１において、所定の信号処理が施される際に、コンテンツの映像フレーム毎に識別番号を付与するもので、その映像フレーム識別番号が付与されたコンテンツが送信側記録メディア１３に記録される。送信側記録メディア１３は、ＨＤＤ，ＤＶＤ−ＲＡＭ等の書込記録と、読み出し再生と共に消去可能な記録媒体である。
【００２４】
映像読出部１４は、送信側記録メディア１３に記録されている映像フレーム毎の識別番号が付与されているフラグ「０１」Ｎｏ  Ｍｏｒｅ  Ｃｏｐｉｅｓコンテンツを再生読み出して映像送信部１５とフレーム識別情報読出部１６へ出力する。映像送信部１５は、映像読出部１４からの映像フレーム識別番号を含むフラグ「０１」Ｎｏ  Ｍｏｒｅ  Ｃｏｐｉｅｓコンテンツをフラグ「１０」Ｃｏｐｙ  Ｏｎｃｅコンテンツに変換して受信記録側機器３０へ送信する。この映像送信部１５は、例えば、ＩＥＥＥ１３９４などの伝送路を用いて受信記録側機器３０の後述する映像受信部３１に接続されている。
【００２５】
フレーム識別情報読出部１６は、映像読出部１４からの映像フレームの識別番号を含むコンテンツから映像フレーム識別番号を抽出し、その抽出した映像フレーム識別番号を一時記憶する。
【００２６】
記録状態受信部１７は、受信記録側機器３０の後述する映像送信部３５からのコンテンツの受信側記録メディア３３への記録状態情報を受信する。この記録状態受信部１７と受信記録側機器３０の間は、ＩＥＥＥ１３９４などの伝送路が設けられている。
【００２７】
フレーム識別情報受信部１８は、記録状態受信部１７が受信した受信記録側機器３０からのコンテンツの記録状態情報から例えば映像フレーム識別番号を抽出する。
【００２８】
記録状態確認部１９は、フレーム識別情報読出部１６に一時記憶されている映像送信部１５から送信されたコンテンツの映像フレーム識別番号と、記録状態受信部１７で受信してフレーム識別情報受信部１８において抽出した映像フレーム識別番号とを比較して、この送信再生側機器１０から送信したコンテンツの映像フレーム識別番号と、受信記録側機器３０において受信記録したコンテンツの映像フレーム識別番号が一致するか確認する。
【００２９】
映像消去部２０は、記録状態確認部１９からの送信再生側機器１０から送信したコンテンツの映像フレーム識別番号と、受信記録側機器３０において受信記録したコンテンツの映像フレーム識別番号との一致確認により、送信側記録メディア１３に書込記録されているコンテンツの映像フレームの内、その受信記録側機器３０での受信記録が確認されたコンテンツの映像フレームを消去する。
【００３０】
次に、受信記録側機器３０の構成について、図２を用いて説明する。送信再生側機器１０の映像送信部１５とＩＥＥＥ１３９４の伝送路により接続された映像受信部３１、映像記録部３２、受信側記録メディア３３、映像読出部３４、及び送信再生側機器１０の記録状態受信部１７とＩＥＥＥ１３９４の伝送路と接続された映像送信部３５からなっている。
【００３１】
映像受信部３１は、送信再生側機器１０の映像送信部１５から送信された映像フレーム識別番号を含むフラグ「１０」Ｃｏｐｙ  Ｏｎｃｅコンテンツを受信して、増幅処理、及びノイズ除去などの処理を施して映像記録部３２に出力する。
【００３２】
映像記録部３２は、映像受信部３１からの映像フレーム識別番号を含むフラグ「１０」Ｃｏｐｙ  Ｏｎｃｅコンテンツに所定の信号処理を施して、フラグ「０１」Ｎｏ  Ｍｏｒｅ  Ｃｏｐｉｅｓコンテンツに変換して受信側記録メディア３３に記録させる。受信側記録メディア３３は、ＨＤＤ，ＤＶＤ−ＲＡＭ，及びデジタル記録磁気テープなどの記録媒体である。
【００３３】
映像読出部３４は、受信側記録メディア３３に記録されたフラグ「０１」Ｎｏ  Ｍｏｒｅ  Ｃｏｐｉｅｓコンテンツを読み出して、映像送信部３５に出力する。
【００３４】
映像送信部３５は、映像読出部３４により読み出されたフラグ「０１」Ｎｏ  Ｍｏｒｅ  Ｃｏｐｉｅｓコンテンツを受信記録側機器３０の記録状態情報として送信再生側機器１０の記録状態受信部１７へ返信する。
【００３５】
なお、この受信記録側機器３０には、送信再生側機器１０からの受信記録側機器３０の記録状態情報の送信要求コマンドにより記録状態情報を送信するためのコマンド受信部３６と、応答部３７を設けても良い。
【００３６】
また、コマンド受信部３６は、後述する送信再生側機器１０からの要求コマンドに基づいて、映像読出部３４を駆動させて、受信記録側機器３０の受信側記録メディア３３に記録した再生コンテンツの映像信号、再生コンテンツに付与されている前述した映像フレーム識別番号の識別情報信号、または、受信記録側機器３０の記録動作を示す記録動作信号等の記録状態情報を生成して応答部３７から送信再生側機器１０へと返信させる。
【００３７】
このような構成の送信再生側機器１０と受信記録側機器３０との間のＣｏｐｙ  ＯｎｃｅコンテンツのＭＯＶＥ処理を図３乃至図５を用いて説明する。最初に、図３を用いて、本発明の第１の実施形態のコンテンツ記録システムによるコンテンツの映像信号によるＭＯＶＥ処理動作を説明する。この第１の実施形態において、送信再生側機器１０は、記録されているデータを読み出し再生と、その読み出し再生したデータの消去とが共に可能なＨＤＤ、あるいはＤＶＤ−ＲＡＭ等を記録媒体とする記録再生機器であり、受信記録側機器３０は、データ記録と、その記録されたデータを読み出し再生可能なＨＤＤ、あるいはＤＶＤ−ＲＡＭ等を記録媒体とする、所謂追っかけ再生が可能な記録再生機器である。
【００３８】
放送局側から配信されたＣｏｐｙ  Ｏｎｃｅコンテンツは、送信再生側機器１０の映像記録部１１とフレーム識別情報付与部１２により映像フレーム識別番号である、例えば、識別情報Ａ，Ｂ，Ｃ，Ｄ，…が付与され、かつ、Ｎｏ  Ｍｏｒｅ  Ｃｏｐｉｅｓコンテンツに変換されて送信側記録メディア１３に記録される。
【００３９】
この映像記録部１１とフレーム識別情報付与部１２において、Ｃｏｐｙ  Ｏｎｃｅコンテンツへの映像フレーム識別情報の付与方法は、ＡＮＳＩ  ＦＤＤＩ  Ｍｅｄｉａ  Ａｃｃｅｓｓ  Ｃｏｎｔｒｏｌ（ＡＮＳＩ  ＦＤＤＩメディア・アクセス制御）に示されているＣＲＣ（Ｃｙｃｌｉｃ  Ｒｅｄｕｎｄａｎｃｙ  Ｃｈｅｃｈ）やランダム値を用いる。
【００４０】
この送信再生側機器１０の送信側記録メディア１３に記録された識別情報Ａ，Ｂ，Ｃ，Ｄ，…が付与されたＮｏ  Ｍｏｒｅ  Ｃｏｐｉｅｓコンテンツを受信記録側機器３０に送信して記録させる場合、送信再生側機器１０の映像読出部１４により送信側記録メディア１３に記録されている識別情報Ａ，Ｂ，Ｃ，Ｄ，…を含むＮｏ  Ｍｏｒｅ  Ｃｏｐｉｅｓコンンツを読み出し、その読み出したコンテンツを映像送信部１５にてＣｏｐｙ  Ｏｎｃｅコンテンツに変換して受信記録側機器３０へと送信すると共に、受信記録側機器３０へと送信するコンテンツの識別情報をフレーム識別情報読み出し部１６で抽出して、例えば送信済みコンテンツの識別情報Ａ，Ｂを抽出して一時記憶する。
【００４１】
受信記録側機器３０は、送信再生側機器１０から送信された識別情報Ａ，Ｂが付与されたＣｏｐｙ  Ｏｎｃｅコンテンツを映像受信部３１で受信し、映像記録部３２によりＮｏ  Ｍｏｒｅ  Ｃｏｐｉｅｓコンテンツに変換して識別情報Ａ，Ｂと共に受信側記録メディア３３に再記録する。この受信側記録メディア３３に再記録された識別情報Ａ，Ｂを含むコンテンツは、映像読出部３４により読み出されて映像送信部３５から送信再生側機器１０へ記録状態情報としての再記録済みコンテンツの映像信号を返信する。
【００４２】
この受信記録側機器３０から返信された識別情報Ａ，Ｂの再記録済みコンテンツの映像信号は、送信再生側機器１０の記録状態受信部１７で受信され、その受信した再記録済みコンテンツ映像信号からフレーム識別情報受信部１８により識別情報Ａ，Ｂを抽出する。このフレーム識別情報受信部１８により抽出した識別情報Ａ，Ｂと、フレーム識別情報読出部１６に一時記憶されている送信済みコンテンツの識別情報Ａ，Ｂとが一致するか記録状態確認部１９において比較確認を行う。この記録状態確認部１９において、送信再生側機器１０から受信記録側機器３０へ送信済みコンテンツの識別情報Ａ，Ｂと、受信記録側機器３０が受信記録した再記録済みコンテンツの識別情報Ａ，Ｂが一致すると、映像消去部２０により送信側記録メディア１３に記録されているコンテンツの内、識別情報Ａ，Ｂを有する映像フレームまでを消去させる。
【００４３】
これにより、送信再生側機器１０に記録されていたＣｏｐｙ  Ｏｎｃｅコンテンツを受信記録側機器３０へと送信させて再記録させると共に、送信再生側機器１０に記録されていたコンテンツを消去させるＭＯＶＥ処理ができる。
【００４４】
もし、送信再生側機器１０の記録状態確認部１９において、送信済みコンテンツの識別情報と、受信記録側機器３０からの再記録済みコンテンツの識別情報が一致しないと判定されると、受信再生側機器３０において、送信再生側機器１０から送信されたコンテンツが正常に再記録されてないと判断されて、映像消去部２０による送信側記録メディア１３に記録されているコンテンツの消去動作を停止させると共に、送信再生動作も停止させる。これにより、送信再生側機器１０は、送信したコンテンツが受信記録側機器３０において正常に記録されていることを確認してコンテンツの消去が行える。
【００４５】
次に、本発明の第２の実施形態のコンテンツ記録システムによるコンテンツの識別情報信号によるＭＯＶＥ処理の動作について、図４を用いて説明する。この第２の実施形態において、送信再生側機器１０は、記録されているデータの読み出し再生と、その読み出し再生したデータの消去とが共に可能なＨＤＤ、あるいはＤＶＤ−ＲＡＭ等を記録媒体とする記録再生機器であり、受信記録側機器３０は、データ記録と、その記録されたデータを読み出し再生可能なＨＤＤ、あるいはＤＶＤ−ＲＡＭ等を記録媒体とする、所謂追っかけ再生が可能な記録再生機器である。
【００４６】
送信再生側機器１０は、前述した第１の実施形態と同じに、放送局側から配信されたＣｏｐｙ  Ｏｎｃｅコンテンツに映像フレーム識別番号である、例えば識別情報Ａ，Ｂ，Ｃ，Ｄ，…を付与し、かつ、Ｎｏ  Ｍｏｒｅ  Ｃｏｐｉｅｓコンテンツに変換して送信側記録メディア１３に記録する。その送信側記録メディア１３に記録された識別情報Ａ，Ｂ，Ｃ，Ｄ，…が付与されたコンテンツを受信記録側機器３０に送信して記録させる場合、送信再生側機器１０の映像読出部１４により送信側記録メディア１３に記録されている識別情報Ａ，Ｂ，Ｃ，Ｄ，…を含むＮｏ  Ｍｏｒｅ  Ｃｏｐｉｅｓコンンツを読み出し、その読み出したコンテンツを映像送信部１５にてＣｏｐｙ  Ｏｎｃｅコンテンツに変換して受信記録側機器３０へと送信すると共に、受信記録側機器３０へと送信するコンテンツの識別情報をフレーム識別情報読出部１６で抽出して、例えば送信済みコンテンツの識別情報Ａ，Ｂを抽出して一時記憶する。
【００４７】
受信記録側機器３０は、送信再生側機器１０から送信された識別情報Ａ，Ｂが付与されたＣｏｐｙ  Ｏｎｃｅコンテンツを映像受信部３１で受信し、映像記録部３２によりＮｏ  Ｍｏｒｅ  Ｃｏｐｉｅｓコンテンツに変換して識別情報Ａ，Ｂと共に受信側記録メディア３３に再記録する。
【００４８】
送信再生側機器１０は、受信記録側機器３０への識別情報Ａ，Ｂを付与したコンテンツの送信と共に、フレーム識別情報の送信要求コマンドを送信する。この送信再生側機器１０からのフレーム識別情報送信要求コマンドは、受信記録側機器３０のコマンド受信部３６にて受信される。このフレーム識別情報送信要求コマンドに従いコマンド受信部３６は、映像読出部３４を駆動させて、受信側記録メディア３３に再記録されたコンテンツを読み出し、そのコンテンツに付与されている識別情報Ａ，Ｂを抽出させて応答部３７へ出力する。この応答部３７は、映像読出部３４により読み出し抽出された識別情報Ａ，Ｂを基に、識別情報信号であるフレーム識別情報返信コマンドを生成して送信再生側機器１０へ返信する。
【００４９】
この受信記録側機器３０から返信されたフレーム識別情報返信コマンドは、送信再生側機器３０の記録状態受信部１７で受信され、その受信したフレーム識別情報返信コマンドからフレーム識別情報受信部１８により再記録済みのコンテンツの識別情報Ａ，Ｂを抽出する。この記録状態受信部１７とフレーム識別情報受信部１８により抽出した識別情報Ａ，Ｂと、フレーム識別情報読出部１６に一時記憶されている送信済みコンテンツの識別情報Ａ，Ｂとが一致するか記録状態確認部１９において比較確認を行い、送信再生側機器１０から受信記録側機器３０へ送信済みコンテンツの識別情報Ａ，Ｂと、受信記録側機器３０で再記録済みコンテンツの識別情報Ａ，Ｂが一致すると、映像消去部２０により送信側記録メディア１３に記録されているコンテンツの内、識別情報Ａ，Ｂを有するフレームまでのコンテンツを消去させる。
【００５０】
これにより、送信再生側機器１０に記録されていたＣｏｐｙ  Ｏｎｃｅコンテンツを受信記録側機器３０へと送信させて再記録させると共に、送信再生側機器１０に記録されていたコンテンツを消去させるＭＯＶＥ処理ができる。
【００５１】
もし、送信再生側機器１０の記録状態確認部１９において、送信済みコンテンツの識別情報と、受信記録側機器３０からの再記録済みコンテンツの識別情報が一致しないと判定されると、受信再生側機器３０において、送信再生側機器１０から送信されたコンテンツが正常に再記録されてないと判断されて、映像消去部２０による送信側記録メディア１３に記録されているコンテンツの消去動作を停止させると共に、送信再生動作も停止させる。これにより、送信再生側機器１０は、送信したコンテンツが受信記録側機器３０において正常記録されていることを確認してコンテンツの消去が行える。
【００５２】
次に、本発明の第３の実施形態のコンテンツ記録システムによる記録動作信号によるＭＯＶＥ処理動作について、図５を用いて説明する。この第３の実施形態において、送信再生側機器１０は、記録されているデータの読み出し再生と、その読み出し再生したデータの消去とが共に可能なＨＤＤ、あるいはＤＶＤ−ＲＡＭ等を記録媒体とする記録再生機器であり、受信記録側機器３０は、データ記録と、その記録されたデータを読み出し再生可能なＨＤＤ、あるいはＤＶＤ−ＲＡＭ等を記録媒体とする、所謂追っかけ再生が可能な記録再生機器、または、送信再生側機器１０から送信されたコンテンツをデジタル的に記録可能な磁気テープを記録媒体とするデジタルビデオ機器である。
【００５３】
送信再生側機器１０は、前述した第１の実施形態と同じに、放送局側から配信されたＣｏｐｙ  Ｏｎｃｅコンテンツに映像フレーム識別番号である、例えば、識別情報Ａ，Ｂ，Ｃ，Ｄ，…を付与し、かつ、Ｎｏ  Ｍｏｒｅ  Ｃｏｐｉｅｓコンテンツに変換して送信側記録メディア１３に記録する。この送信側記録メディア１３に記録された識別情報Ａ，Ｂ，Ｃ，Ｄ，…が付与されたＮｏ  Ｍｏｒｅ  Ｃｏｐｉｅｓコンテンツを受信記録側機器３０に送信して記録させる場合、送信再生側機器１０の映像読出部１４により送信側記録メディア１３に記録されている識別情報Ａ，Ｂ，Ｃ，Ｄ，…を含むＮｏ  Ｍｏｒｅ  Ｃｏｐｉｅｓコンンツを読み出し、その読み出したコンテンツを映像送信部１５にてＣｏｐｙ  Ｏｎｃｅコンテンツに変換して受信記録側機器３０へと送信する。
【００５４】
受信記録側機器３０は、送信再生側機器１０から送信された識別情報Ａ，Ｂが付与されたＣｏｐｙ  Ｏｎｃｅコンテンツを映像受信部３１で受信し、映像記録部３２によりＮｏ  Ｍｏｒｅ  Ｃｏｐｉｅｓコンテンツに変換して識別情報Ａ，Ｂと共に受信側記録メディア３３に再記録する。
【００５５】
送信再生側機器１０は、受信記録側機器３０へのフレーム識別情報を付与したコンテンツの送信と共に、記録動作信号の要求コマンドを送信する。この送信再生側機器１０からの記録動作信号要求コマンドは、受信記録側機器３０のコマンド受信部３６にて受信される。この記録動作信号要求コマンドに従いコマンド受信部３６は、映像読出部３４を駆動させて、受信側記録メディア３３へのコンテンツの再記録動作が正常に行われているか判定し、その判定結果を応答部３７へ出力する。この応答部３７は、映像読出部３４の判定結果に応じて、記録動作信号の返信コマンドに変換して送信再生側機器１０へ返信する。
【００５６】
この受信記録側機器３０から返信された記録動作信号返信コマンドは、送信再生側機器１０の記録状態受信部１７で受信され、その受信した記録動作信号返信コマンドが受信記録側機器３０の正常な再記録動作を示すコマンドであると、送信再生側機器１０から受信記録側機器３０へ送信済みの識別情報Ａ，Ｂまでのコンテンツを映像消去部２０により送信側記録メディア１３から消去させる。
【００５７】
これにより、送信再生側機器１０に記録されていたＣｏｐｙ  Ｏｎｃｅコンテンツを受信記録側機器３０へと送信させて再記録させると共に、送信再生側機器１０に記録されていたコンテンツを消去させるＭＯＶＥ処理ができる。
【００５８】
もし、送信再生側機器１０の記録状態確認部１９において、受信記録側機器３０から記録動作信号返信コマンドにより受信記録側機器３０が正常にコンテンツの記録動作をしていないコマンドであると認識されると、映像消去部２０による送信側記録メディア１３に記録されているコンテンツの消去動作を停止させると共に、送信再生動作も停止させる。
【００５９】
これにより、送信再生側機器１０は、送信したコンテンツが受信記録側機器３０において正常に記録動作されていることを確認してコンテンツの消去が行える。
【００６０】
図３乃至図５を用いて説明したＭＯＶＥ処理において、コンテンツの映像フレームに付与する識別情報の記録方法及び伝送方法を図６に示している。この識別情報の記録方法と伝送方法は、図３を用いて説明した本発明の第１の実施形態の映像信号による送信及び記録状態確認、及び図４を用いて説明した本発明の第２の実施形態の識別情報信号による送信に用いられる。
【００６１】
この図６に示す方法は、ＭＰＥＧ２−ＴＳにふくまれるＤＴＣＰ＿ｄｅｓｃｒｉｐｔｏｒという形式で識別情報を記録するものである。識別情報は、ＤＴＣＰ＿Ｄｒｅｓｃｒｉｐｔｏｒの中のｐｒｉｖａｔｅ＿ｄａｔａ＿ｂｙｔｅという領域に記録される。このｐｒｉｖａｔｅ＿ｄａｔａ＿ｂｙｔｅの領域には、Ｆｒａｍｅ＿Ｉｄｅｎｔｉｆｉｅｒという２４ｂｉｔの領域に記録される。記録方式としては、ｕｉｍｓｂｆ（Ｕｎｓｉｇｎｅｄ  Ｉｎｔｅｒｇｅｒ  Ｍｏｓｔ  Ｓｉｇｎｉｆｉｃａｎｔ  Ｂｉｔ  Ｆｉｒｓｔ：符号なし整数で最上位ビットが先頭）をとる。識別情報は、このフォーマットで伝送路中を送受信する。なお、識別情報の記録方法は、前述した以外の方法もあり、本発明は前述した記録方法に限定されるものではない。
【００６２】
また、図４を用いて説明した本発明の第２の実施形態の記録状態確認方法としては、図７と図８に示す方法がある。送信再生側機器１０は、図７に示すフォーマットによる受信記録側機器３０に識別情報要求コマンドを送信する。受信記録側機器３０は、図８に示すフォーマットによる送信再生側機器１０に記録状態返信コマンドを返信する。なお、送信再生側機器１０からの識別情報の要求間隔は、映像フレーム単位に要求及び応答させる方法、あるいは、映像送信開始時に一括して要求して、映像送信中は応答のみ受信する方法などが考えられる。
【００６３】
更に、図５を用いて説明した本発明の第３の実施形態の記録動作確認方法としては、図９と図１０に示す方法がある。送信再生側機器１０は、図９に示すフォーマットにより受信記録側機器３０の記録動作要求コマンドを送信する。受信記録側機器３０は、図１０に示すフォーマットにより送信再生側機器１０に記録動作返信コマンドを返信する。なお、図１０において、受信記録側機器３０が通常記録状態（ＲＥＣＯＤＥ  ＦＯＲＷＡＲＤ）であることが判明する。なお、この記録動作確認方法としては、前述したフォーマット以外に、受信記録側機器３０の記録状態を確認する他のフォーマットが複数考えられ、前述したフォーマットに限定されるものではない。
【００６４】
次に、送信再生側機器１０のコンテンツへの映像フレーム識別情報の付与から受信記録側機器３０へ送信したコンテンツの消去の動作について、図１１のフローチャートを用いて説明する。
【００６５】
送信再生側機器１０は、フレーム識別情報付与部１２において、映像フレーム識別情報である映像フレーム識別番号を生成する（ステップＳ１）。このフレーム識別情報付与部１２において生成された映像フレーム識別番号は、映像記録部１１において、受信したコンテンツの映像フレーム毎に付与する（ステップＳ２）。この映像記録部１１において、映像フレーム識別番号が映像フレーム毎に付与されたコンテンツは、送信側記録メディア１３に記録される（ステップＳ３）。
【００６６】
このようにして、送信側記録メディア１３に記録された映像フレーム識別番号が付与されたコンテンツを読み出して、受信記録側機器３０の受信側記録メディア３３に再記録する場合には、送信再生側機器１０の映像読み出し部１４により送信側記録メディア１３に記録している映像フレーム識別番号が付与されたコンテンツを読み出す（ステップＳ４）。この送信側記録メディア１３から映像読出部１４によって読み出した映像フレーム識別番号を付与したコンテンツは、映像送信部１５から受信記録側機器３０へと送信すると共に、その映像フレーム識別番号を一時記憶する（ステップＳ５）。
【００６７】
次に、送信再生側機器１０の記録状態受信部１７は、受信記録側機器３０から返信された記録情報を受信する（ステップＳ６）。この記録状態受信部１７における受信記録側機器３０からの記録状態情報の送受信方法としては、図６、図８、及び図１０に示したいずれかの方法が用いられる。この記録状態受信部１７において受信された記録情報からフレーム識別情報受信部１８において、映像フレーム識別情報が抽出可能か確認する（ステップＳ７）。このフレーム識別情報受信部１８における映像フレーム識別情報の抽出可否は、図６及び図８に示す映像フレーム識別番号、及び識別情報返信コマンドが返信された場合は、フレーム識別情報を抽出可能となり、図１０に示す記録状態返信コマンドが返信された場合は、フレーム識別情報抽出不可能と判定される。
【００６８】
このフレーム識別情報受信部１８において、映像フレーム識別情報が抽出可能と確認されると、映像フレーム識別情報の抽出が行われる（ステップＳ８）。このステップＳ８において抽出された映像フレーム識別情報と、ステップＳ７において判定された映像フレーム識別情報を含まない記録状態返信コマンドを用いて受信記録側機器３０が正常に記録動作しているか判定する（ステップＳ９）。
【００６９】
このステップ９における受信記録側機器３０の正常記録判定は、ステップＳ７において識別情報を抽出できない記録状態返信コマンドであると判定された場合は、その記録状態返信コマンドから受信記録側機器３０が正常記録の動作状態であるか判定する。また、前記ステップＳ７において識別情報が抽出可能であると判定された場合は、ステップＳ８において抽出されたフレーム識別情報と、ステップＳ５において映像送信する際に、フレーム識別情報読み出し部１６により抽出一時記憶している送信済みフレーム識別情報との照合して、識別情報が一致すると受信記録側機器３０において正常に送信コンテンツが再記録されていると判定する。
【００７０】
このステップＳ９において、受信記録側機器３０が正常記録動作状態であることが確認されると、記録状態確認部１６は、映像消去部２０を駆動させて、送信側記録メディア１３に記録されているフレーム識別情報の一致が確認された映像フレーム、または正常記録動作が確認された時点までに送信した映像フレームを消去する（ステップＳ１０）。
【００７１】
このステップＳ１０による映像フレームの消去後、映像読み出し部１４は、送信側記録メディア１３に記録されているコンテンツの全映像フレームの消去処理が完了したか判定する（ステップＳ１１）。このステップＳ１１の判定の結果、送信側記録メディア１３に未消去の映像フレームがあると判定されると、ステップＳ６へと戻り次の記録情報の受信判定処理を行う。このステップＳ１１の判定の結果、送信側記録メディア１３の全映像フレームの消去が確認されると送信再生側機器１０からのコンテンツの送信を停止させる（ステップＳ１２）。
【００７２】
また、ステップＳ９において、受信記録側機器３０からの記録情報により受信記録側機器３０が正常に記録動作していないと判定されると、送信再生側機器１０のコンテンツ送信動作を停止させる（ステップＳ１２）。
【００７３】
以上説明したように、本発明は、送信再生側機器に設けた記録状態確認部により受信記録側機器の記録状態を確認して、送信再生側機器のコンテンツの消去が可能となり、受信記録側機器の何らかの記録動作不具合が生じてＭＯＶＥ処理が不成功の際のコンテンツの消去を防ぐことができ、かつ、受信記録側機器が正常にコンテンツを受信記録されると、送信再生側機器に記録されているコンテンツを確実に消去できる。
【図面の簡単な説明】
【００７４】
【図１】本発明に係るコンテンツ記録システムに用いる送信再生側機器の構成を示すブロック図。
【図２】本発明に係るコンテンツ記録システムに用いる受信記録側機器の構成を示すブロック図。
【図３】本発明の第１の実施形態のコンテンツ記録システムによるコンテンツの映像信号を用いた送信再生側機器と受信記録側機器との間のＭＯＶＥ処理動作を説明するブロック図。
【図４】本発明の第２の実施形態のコンテンツ記録システムによるコンテンツの識別情報信号を用いた送信再生側機器と受信記録側機器との間のＭＯＶＥ処理動作を説明するブロック図。
【図５】本発明の第３の実施形態のコンテンツ記録システムによるコンテンツの記録動作信号を用いた送信再生側機器と受信記録側機器との間のＭＯＶＥ処理動作を説明するブロック図。
【図６】本発明のコンテンツ記録システムによる送信再生側機器と受信記録側機器との間の識別情報の記録と伝送フォーマットを説明する説明図。
【図７】本発明のコンテンツ記録システムによる送信再生側機器から受信記録側機器への識別情報要求コマンドのフォーマットを説明する説明図。
【図８】本発明のコンテンツ記録システムによる受信記録側機器から送信再生側機器への識別情報返信コマンドのフォーマットを説明する説明図。
【図９】本発明のコンテンツ記録システムによる送信再生側機器から受信記録側機器への記録情報要求コマンドのフォーマットを説明する説明図。
【図１０】本発明のコンテンツ記録システムによる受信記録側機器から送信再生側機器への記録情報返信コマンドのフォーマットを説明する説明図。
【図１１】本発明のコンテンツ記録システムによる送信再生側機器と受信記録側機器との間のＭＯＶＥ処理動作を説明するフローチャート。
【図１２】本発明に係るコンテンツ記録システムのＭＯＶＥ処理を説明する説明図。
【図１３】本発明の係るコンテンツのＣｏｐｙ  Ｏｎｃｅコンテンツの記録と消去を説明する説明図。
【図１４】本発明に係るコンテンツに設定されている著作権保護情報を説明する説明図。
【符号の説明】
【００７５】
１０送信側記録再生機器（送信再生側機器）、１１映像記録部、１２フレーム識別情報付与部、１３送信側記録メディア、１４映像読出部、１５映像送信部、１６フレーム識別情報読出部、１７記録状態受信部、１８フレーム識別情報受信部、１９記録状態確認部、２０映像消去部、３０受信側記録再生機器（受信記録側機器）、３１映像受信部、３２映像記録部、３３受信側記録メディア、３４映像読出部、３５映像送信部、３６コマンド受信部、３７応答部。  
代理人  弁理士  伊藤  進
【図１】
2005293731.tif 000003
【図２】
2005293731.tif 000004
【図３】
2005293731.tif 000005
【図４】
2005293731.tif 000006
【図５】
2005293731.tif 000007
【図６】
2005293731.tif 000008
【図７】
2005293731.tif 000009
【図８】
2005293731.tif 000010
【図９】
2005293731.tif 000011
【図１０】
2005293731.tif 000012
【図１１】
2005293731.tif 000013
【図１２】
2005293731.tif 000014
【図１３】
2005293731.tif 000015
【図１４】
2005293731.tif 000016